(57)【特許請求の範囲】
【請求項１】
光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタの中心軸線方向中央部で接続されるようになっている光コネクタであって、
前記雌形光コネクタプラグは、スリーブ状のハウジング（３１）と、このハウジングの内部に該ハウジングの中心軸線方向に沿ってスライド移動自在に収納され、該ハウジングの前記光コネクタアダプタに挿入される先端のハウジング先端部（３１ａ）から引き出し可能のスリーブ状の係合用ハウジング（３２）とを備え、係合用ハウジングの光コネクタアダプタに対する挿入方向先端には、弾性爪である一対の係合部（３７）が突設され、
前記雄形光コネクタプラグの前記光コネクタアダプタに挿入される先端である挿入先端部（２２）の対向する両側には、該挿入先端部が前記雌形光コネクタプラグの一対の前記係合部の間に挿入されたときに前記雌形光コネクタプラグの一対の係合部が両側から係脱可能に係合される係合部（２８）が形成されており、
前記雌形光コネクタプラグと前記雄形光コネクタプラグとに設けられた前記係合部同士が係脱可能に係合されることで、前記係合用ハウジングの内部に収納されて前記雌形光コネクタプラグ先端に設けられた光コネクタフェルール（１１）と、前記雄形光コネクタプラグ先端に保持された光コネクタフェルール（１１）との突き合わせ状態が維持されるようになっており、
前記光コネクタアダプタの軸方向中央部には、前記係合部同士の係合で雌形光コネクタプラグと接続されている雄形光コネクタプラグの光コネクタアダプタからの引き抜きによって、前記雌形光コネクタプラグの前記ハウジング先端部から引き出された前記係合用ハウジングの前記係合部が当接されることで、前記係合用ハウジングの一対の係合部を両係合部間が拡張されるように弾性変形させて前記雄形光コネクタプラグの前記挿入先端部（２２）の両側の係合部から離間させる突起状の係合解除部（４４）が設けられていることを特徴とする光コネクタ。
【請求項２】
前記雌形光コネクタプラグの前記ハウジング先端部には、該ハウジング先端部からの前記係合用ハウジングの引き出しによって、前記係合用ハウジングの係合部の側部から突出されている受圧片（３７ｃ）が乗り上げることで、該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする請求項１記載の光コネクタ。
【請求項３】
光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタ内で接続されるようになっている光コネクタであって、
前記雌形光コネクタプラグは、スリーブ状のハウジング（３１）と、このハウジングの内部に該ハウジングの中心軸線方向に沿ってスライド移動自在に収納され、該ハウジングの前記光コネクタアダプタに挿入される先端のハウジング先端部（３１ａ）から引き出し可能のスリーブ状の係合用ハウジング（３２）とを備え、係合用ハウジングの光コネクタアダプタに対する挿入方向先端には、弾性爪である一対の係合部（３７）が突設され、
前記雄形光コネクタプラグの前記光コネクタアダプタに挿入される先端である挿入先端部（２２）の対向する両側には、該挿入先端部が前記雌形光コネクタプラグの一対の前記係合部の間に挿入されたときに前記雌形光コネクタプラグの一対の係合部が両側から係脱可能に係合される係合部（２８）が形成されており、
前記雌形光コネクタプラグと前記雄形光コネクタプラグとに設けられた前記係合部同士が係脱可能に係合されることで、前記係合用ハウジングの内部に収納されて前記雌形光コネクタプラグ先端に設けられた光コネクタフェルール（１１）と、前記雄形光コネクタプラグ先端に保持された光コネクタフェルール（１１）との突き合わせ状態が維持されるようになっており、
前記雌形光コネクタプラグの前記ハウジング先端部には、該ハウジング先端部からの前記係合用ハウジングの引き出しによって、前記係合用ハウジングの係合部の側部から突出されている受圧片（３７ｃ）が乗り上げることで、該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする光コネクタ。
【請求項４】
光コネクタアダプタ内にて、雄形光コネクタプラグと雌形光コネクタプラグとの間を次第に接近させると、雌形光コネクタプラグの係合用ハウジング先端の対向する両側から突設された一対の係合部先端の傾斜面である当接面（３７ａ）に当接された雄形光コネクタプラグの挿入先端部が前記当接面に誘導されるようにして係合用ハウジング内に挿入されて行くようになっていることを特徴とする請求項１〜３のいずれかに記載の光コネクタ。
【請求項５】
光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタ内で接続されるようになっている光コネクタであって、
前記雌形光コネクタプラグのハウジング（３１）の前記光コネクタアダプタに挿入される先端のハウジング先端部（３１ａ）の両側に該ハウジング先端部自体をガイド部としてスライド移動自在に設けられた弾性爪である一対の係合部（３７）と、前記雄形光コネクタプラグの前記光コネクタアダプタに挿入される先端である挿入先端部（２２）の両側に形成され、該挿入先端部が前記雌形光コネクタプラグの一対の前記係合部の間に挿入されたときに前記雌形光コネクタプラグの一対の係合部が両側から係脱可能に係合される係合部（２８）とが係脱可能に係合されることで、前記ハウジング先端部および前記挿入先端部にそれぞれ保持された光コネクタフェルール（１１）同士の突き合わせ状態が維持されるようになっており、
前記雌形光コネクタプラグの前記ハウジング先端部に設けられた前記係合部は、雌形光コネクタプラグの前記光コネクタアダプタに対する挿入方向前方へ引き出し可能であり、
前記光コネクタアダプタの軸方向中央部には、前記係合部同士の係合で雌形光コネクタプラグと接続されている雄形光コネクタプラグの光コネクタアダプタからの引き抜きによって、前記雌形光コネクタプラグの前記ハウジング先端部から引き出された前記係合部が当接されることで、一対の係合部を両係合部間が拡張されるように弾性変形させて前記雄形光コネクタプラグの前記挿入先端部（２２）の両側の係合部から離間させる突起状の係合解除部（４４）が設けられていることを特徴とする光コネクタ。
【請求項６】
前記ハウジング先端部には、前記雌形光コネクタプラグの前記光コネクタアダプタに対する挿入方向前側から、前記ハウジング先端部に設けられた前記係合部の側部から突出されている受圧片（３７ｃ）に当接することで該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする請求項５記載の光コネクタ。
【請求項７】
光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタ内で接続されるようになっている光コネクタであって、
前記雌形光コネクタプラグのハウジング（３１）の前記光コネクタアダプタに挿入される先端のハウジング先端部（３１ａ）の両側に該ハウジング先端部自体をガイド部としてスライド移動自在に設けられた弾性爪である一対の係合部（３７）と、前記雄形光コネクタプラグの前記光コネクタアダプタに挿入される先端である挿入先端部（２２）の両側に形成され、該挿入先端部が前記雌形光コネクタプラグの一対の前記係合部の間に挿入されたときに前記雌形光コネクタプラグの一対の係合部が両側から係脱可能に係合される係合部（２８）とが係脱可能に係合されることで、前記ハウジング先端部および前記挿入先端部にそれぞれ保持された光コネクタフェルール（１１）同士の突き合わせ状態が維持されるようになっており、
前記雌形光コネクタプラグの前記ハウジング先端部に設けられた前記係合部は、雌形光コネクタプラグの前記光コネクタアダプタに対する挿入方向前方へ引き出し可能であり、
前記雌形光コネクタプラグの前記ハウジング先端部には、前記雌形光コネクタプラグの前記光コネクタアダプタに対する挿入方向前方へ引き出された前記係合部の側部に突出されている受圧片（３７ｃ）が乗り上げることで、該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする光コネクタ。
【発明の詳細な説明】
【０００１】
【発明の属する技術分野】
本発明は、光コネクタに係り、特に、少ない部品点数によって構成できる光コネクタに関するものである。
【０００２】
【従来の技術】
例えば、ＪＩＳ  Ｃ  ５９８２に制定されるＭＰＯ形光コネクタ（ＭＰＯ：Multifiber Push On)等のように、光コネクタアダプタに対向する両側から挿入した光コネクタプラグ同士が、前記光コネクタアダプタ内で位置決めして接続される構造の光コネクタでは、図１０に示すように、光コネクタアダプタ１に両側から挿入した各光コネクタプラグ２、３のハウジング２ａ、３ａの先端部が、光コネクタアダプタ１のスリーブ状のアダプタハウジング１ａ内に若干の浮動を許容して収納した内部ハウジング４に挿入され、この内部ハウジング４によって位置決めされることで、前記ハウジング２ａ、３ａ先端に保持された光コネクタフェルール５同士が突き合わせ接続される構成が多用されている。光コネクタアダプタ１のアダプタハウジング１ａでは、光コネクタプラグ２、３が若干の位置ずれ（浮動）を許容して収納され、その一方、各光コネクタプラグ２、３のハウジング２ａ、３ａ先端間は前記内部ハウジング４によって位置決め状態が維持されるため、アダプタハウジング１ａに対する光コネクタプラグ２、３の浮動は、光コネクタフェルール５同士の接続状態に影響しないようになっている。
【０００３】
【発明が解決しようとする課題】
しかしながら、前述のような構成の光コネクタでは、光コネクタアダプタ１に内部ハウジング４を必要とするため部品点数が多く、また、前記アダプタハウジング１ａは前記内部ハウジング４を浮動可能に収納する複雑な形状に形成する必要があり、形成に手間が掛かるため、低コスト化が困難であるといった問題あった。また、前記光コネクタアダプタ１は、前記内部ハウジング４を収納するために、二つのアダプタハウジング１ａから組み立てられる構造になっており、この点でも部品点数が多くなるとともに、光コネクタアダプタ１の組み立てに手間が掛かるといった問題もある。
【０００４】
本発明は、前述の課題に鑑みてなされたもので、部品点数が少なく、低コスト化できる光コネクタを提供することを目的とする。
【０００５】
【課題を解決するための手段】
請求項１に係る発明は、光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタの中心軸線方向中央部で接続されるようになっている光コネクタであって、前記雌形光コネクタプラグは、スリーブ状のハウジング（３１）と、このハウジングの内部に該ハウジングの中心軸線方向に沿ってスライド移動自在に収納され、該ハウジングの前記光コネクタアダプタに挿入される先端のハウジング先端部（３１ａ）から引き出し可能のスリーブ状の係合用ハウジング（３２）とを備え、係合用ハウジングの光コネクタアダプタに対する挿入方向先端には、弾性爪である一対の係合部（３７）が突設され、前記雄形光コネクタプラグの前記光コネクタアダプタに挿入される先端である挿入先端部（２２）の対向する両側には、該挿入先端部が前記雌形光コネクタプラグの一対の前記係合部の間に挿入されたときに前記雌形光コネクタプラグの一対の係合部が両側から係脱可能に係合される係合部（２８）が形成されており、前記雌形光コネクタプラグと前記雄形光コネクタプラグとに設けられた前記係合部同士が係脱可能に係合されることで、前記係合用ハウジングの内部に収納されて前記雌形光コネクタプラグ先端に設けられた光コネクタフェルール（１１）と、前記雄形光コネクタプラグ先端に保持された光コネクタフェルール（１１）との突き合わせ状態が維持されるようになっており、前記光コネクタアダプタの軸方向中央部には、前記係合部同士の係合で雌形光コネクタプラグと接続されている雄形光コネクタプラグの光コネクタアダプタからの引き抜きによって、前記雌形光コネクタプラグの前記ハウジング先端部から引き出された前記係合用ハウジングの前記係合部が当接されることで、前記係合用ハウジングの一対の係合部を両係合部間が拡張されるように弾性変形させて前記雄形光コネクタプラグの前記挿入先端部（２２）の両側の係合部から離間させる突起状の係合解除部（４４）が設けられていることを特徴とする。
請求項２に係る発明は、請求項１記載の光コネクタにおいて、前記雌形光コネクタプラグの前記ハウジング先端部には、該ハウジング先端部からの前記係合用ハウジングの引き出しによって、前記係合用ハウジングの係合部の側部から突出されている受圧片（３７ｃ）が乗り上げることで、該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする。
請求項３に係る発明は、光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタ内で接続されるようになっている光コネクタであって、前記雌形光コネクタプラグは、スリーブ状のハウジング（３１）と、このハウジングの内部に該ハウジングの中心軸線方向に沿ってスライド移動自在に収納され、該ハウジングの前記光コネクタアダプタに挿入される先端のハウジング先端部（３１ａ）から引き出し可能のスリーブ状の係合用ハウジング（３２）とを備え、係合用ハウジングの光コネクタアダプタに対する挿入方向先端には、弾性爪である一対の係合部（３７）が突設され、前記雄形光コネクタプラグの前記光コネクタアダプタに挿入される先端である挿入先端部（２２）の対向する両側には、該挿入先端部が前記雌形光コネクタプラグの一対の前記係合部の間に挿入されたときに前記雌形光コネクタプラグの一対の係合部が両側から係脱可能に係合される係合部（２８）が形成されており、前記雌形光コネクタプラグと前記雄形光コネクタプラグとに設けられた前記係合部同士が係脱可能に係合されることで、前記係合用ハウジングの内部に収納されて前記雌形光コネクタプラグ先端に設けられた光コネクタフェルール（１１）と、前記雄形光コネクタプラグ先端に保持された光コネクタフェルール（１１）との突き合わせ状態が維持されるようになっており、前記雌形光コネクタプラグの前記ハウジング先端部には、該ハウジング先端部からの前記係合用ハウジングの引き出しによって、前記係合用ハウジングの係合部の側部から突出されている受圧片（３７ｃ）が乗り上げることで、該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする。
請求項４に係る発明は、請求項１〜３のいずれかに記載の光コネクタにおいて、光コネクタアダプタ内にて、雄形光コネクタプラグと雌形光コネクタプラグとの間を次第に接近させると、雌形光コネクタプラグの係合用ハウジング先端の対向する両側から突設された一対の係合部先端の傾斜面である当接面（３７ａ）に当接された雄形光コネクタプラグの挿入先端部が前記当接面に誘導されるようにして係合用ハウジング内に挿入されて行くようになっていることを特徴とする。
請求項５に係る発明は、光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタ内で接続されるようになっている光コネクタであって、前記雌形光コネクタプラグのハウジング（３１）の前記光コネクタアダプタに挿入される先端のハウジング先端部（３１ａ）の両側に該ハウジング先端部自体をガイド部としてスライド移動自在に設けられた弾性爪である一対の係合部（３７）と、前記雄形光コネクタプラグの前記光コネクタアダプタに挿入される先端である挿入先端部（２２）の両側に形成され、該挿入先端部が前記雌形光コネクタプラグの一対の前記係合部の間に挿入されたときに前記雌形光コネクタプラグの一対の係合部が両側から係脱可能に係合される係合部（２８）とが係脱可能に係合されることで、前記ハウジング先端部および前記挿入先端部にそれぞれ保持された光コネクタフェルール（１１）同士の突き合わせ状態が維持されるようになっており、前記雌形光コネクタプラグの前記ハウジング先端部に設けられた前記係合部は、雌形光コネクタプラグの前記光コネクタアダプタに対する挿入方向前方へ引き出し可能であり、前記光コネクタアダプタの軸方向中央部には、前記係合部同士の係合で雌形光コネクタプラグと接続されている雄形光コネクタプラグの光コネクタアダプタからの引き抜きによって、前記雌形光コネクタプラグの前記ハウジング先端部から引き出された前記係合部が当接されることで、一対の係合部を両係合部間が拡張されるように弾性変形させて前記雄形光コネクタプラグの前記挿入先端部（２２）の両側の係合部から離間させる突起状の係合解除部（４４）が設けられていることを特徴とする。
請求項６に係る発明は、前記ハウジング先端部には、前記雌形光コネクタプラグの前記光コネクタアダプタに対する挿入方向前側から、前記ハウジング先端部に設けられた前記係合部の側部から突出されている受圧片（３７ｃ）に当接することで該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする請求項５記載の光コネクタ。
請求項７に係る発明は、光コネクタアダプタ（４０）に一側から挿入されてラッチ（２３）によって前記光コネクタアダプタと係脱可能に係合する雄形光コネクタプラグ（２０）と、前記光コネクタアダプタに他側から挿入されてラッチ（３３）によって前記光コネクタアダプタと係脱可能に係合する雌形光コネクタプラグ（３０）とを備え、前記雄形光コネクタプラグと前記雌形光コネクタとが前記光コネクタアダプタ内で接続されるようになっている光コネクタであって、前記雌形光コネクタプラグのハウジング（３１）の前記光コネクタアダプタに挿入される先端のハウジング先端部（３１ａ）の両側に該ハウジング先端部自体をガイド部としてスライド移動自在に設けられた弾性爪である一対の係合部（３７）と、前記雄形光コネクタプラグの前記光コネクタアダプタに挿入される先端である挿入先端部（２２）の両側に形成され、該挿入先端部が前記雌形光コネクタプラグの一対の前記係合部の間に挿入されたときに前記雌形光コネクタプラグの一対の係合部が両側から係脱可能に係合される係合部（２８）とが係脱可能に係合されることで、前記ハウジング先端部および前記挿入先端部にそれぞれ保持された光コネクタフェルール（１１）同士の突き合わせ状態が維持されるようになっており、前記雌形光コネクタプラグの前記ハウジング先端部に設けられた前記係合部は、雌形光コネクタプラグの前記光コネクタアダプタに対する挿入方向前方へ引き出し可能であり、前記雌形光コネクタプラグの前記ハウジング先端部には、前記雌形光コネクタプラグの前記光コネクタアダプタに対する挿入方向前方へ引き出された前記係合部の側部に突出されている受圧片（３７ｃ）が乗り上げることで、該係合部を前記ハウジング先端部の外側に押し出すようにして弾性変形させて、雄形光コネクタプラグ側の係合部との係合位置から離間させる傾斜面（３１ｅ）を有する係合解除片（３１ｂ）が設けられていることを特徴とする。
本発明によれば、雄形光コネクタプラグの挿入先端部と、雌形光コネクタプラグ先端のハウジング先端部のそれぞれに設けられた係合部同士を係脱可能に係合して、両光コネクタプラグ同士を連結状態にすることで、各光コネクタプラグ先端の光コネクタフェルール間を位置決めすることができる。つまり、各光コネクタプラグ先端の光コネクタフェルール間を位置決めは、両光コネクタプラグの係合部同士の係合によってなされるので、光コネクタアダプタには、内部ハウジング等の位置決め用の部品を別途設ける必要が無い。
【０００６】
また、本発明によれば、例えば、光コネクタアダプタ内にて雌形光コネクタプラグと接続されている雄形光コネクタプラグを光コネクタアダプタから引き抜くべく引張操作すると、雌雄両光コネクタプラグの係合部同士が係合したまま、雌形光コネクタプラグから係合部が雄形光コネクタプラグとともに引き出される。そして、係合状態の両係合部間に係合解除部が割り込んだり、雌形光コネクタプラグ側の係合部が係合解除部との当接によって相手側の係合部に対する離間方向へ変形を生じることで、雄形光コネクタプラグ側の係合部との係合が解除される。これにより、雄形光コネクタプラグは、単純な引き抜き動作のみで、光コネクタアダプタから引き抜くことができる。
【０００７】
また、本発明によれば、例えば、光コネクタアダプタ内にて雄形光コネクタプラグと接続されている雌形光コネクタプラグを光コネクタアダプタから引き抜くべく引張操作すると、まず当初は、雌形光コネクタプラグの係合部は、雄形光コネクタプラグ側の係合部との係合によって移動せず、雌形光コネクタプラグのハウジングがハウジング先端部の係合部に対して光コネクタアダプタからの引き抜き方向へ移動する。次いで、さらなるハウジングの移動によって、ハウジング先端部の先端の係合解除片が該ハウジング先端部の弾性爪である係合部に当接して、雄形光コネクタプラグ側の係合部に対する離間方向への変形を生じさせることで、雄形光コネクタプラグ側の係合部との係合が解除される。これにより、雌形光コネクタプラグは、単純な引き抜き動作のみで、光コネクタアダプタから引き抜くことができる。
【０００８】
【発明の実施の形態】
以下、本発明の１実施の形態の光コネクタ１０を説明する。
図１は雄形光コネクタプラグ２０を示す図であって、（ａ）は正面図、（ｂ）は接続方向先端側から見た側面図、（ｃ）は断面図である。
図２は雌形光コネクタプラグ３０を示す図であって。（ａ）は正面図、（ｂ）は平面図、（ｃ）は接続方向先端側から見た側面図、（ｄ）は断面図である。
図３は、図２の雌形光コネクタプラグ３０を構成するハウジング３１を示す図であって、（ａ）は平面図、（ｂ）は正面図、（ｃ）は平断面図である。
図４は、図２の雌形光コネクタプラグ３０を構成する係合用ハウジング３１ａを示す図であって、（ａ）は平面図、（ｂ）は正面図、（ｃ）は平断面図である。
図５は、光コネクタアダプタ４０を示す図であって、（ａ）は斜視図、（ｂ）は雄形光コネクタプラグ２０が挿入される雄形プラグ収納部４１側から見た斜視図、（ｃ）は断面図である。
図６は、前記光コネクタ１０を示す図であって、雄形光コネクタプラグ２０と雌形光コネクタプラグ３０とを光コネクタアダプタ４０に挿入して接続した状態を示す断面図である。
【０００９】
図６において、光コネクタ１０は、スリーブ状の光コネクタアダプタ４０と、この光コネクタアダプタ４０にその軸方向一側から挿入される雄形光コネクタプラグ２０と、前記光コネクタアダプタ４０にその軸方向他側から挿入される雌形光コネクタプラグ３０とを備えて構成され、前記光コネクタアダプタ４０内で前記雄形光コネクタプラグ２０と前記雌形光コネクタプラグ３０とが位置決めして接続されるようになっている。
【００１０】
図１（ａ）〜（ｃ）に示すように、雄形光コネクタプラグ２０は、スリーブ状のハウジング２１と、このハウジング２１の前記光コネクタアダプタ４０に挿入される先端の挿入先端部２２に対向する後端から立ち上げるようにして前記挿入先端部２２に向けて突出させた弾性変形自在のラッチ２３とを備えて構成されている。前記ハウジング２１とラッチ２３は、例えば、プラスチック等の合成樹脂によって一体成形することが、成形に掛かる手間を軽減する上で好ましい。
ハウジング２１の前記挿入先端部２２には光コネクタフェルール１１が収納保持されている。前記光コネクタフェルール１１としては、各種構成が採用可能であるが、ここでは、ＪＩＳ  Ｃ  ５９８１に制定されるＭＴ形光コネクタ（ＭＴ：Mechanically Transferable)を採用している。この光コネクタフェルール１１は、ハウジング２１の中心軸線方向（図１（ａ）、（ｃ）中左右）に移動自在に収納されるとともに、ハウジング２１に内蔵のスプリング２４によって接続方向前方へ付勢されている。光コネクタフェルール１１は、接合端面１１ａに対向する後端部に突設された鍔部１１ｂが、挿入先端部２２内面側に設けられたストッパ部２５に当接することで、挿入先端部２２から抜け出ることが防止される。
【００１１】
図２（ａ）〜（ｂ）に示すように、雌形光コネクタプラグ３０は、スリーブ状のハウジング３１と、このハウジング３１の内部に該ハウジング３１の中心軸線方向に沿ってスライド移動自在に収納された係合用ハウジング３２とを備えて構成されている。
図３（ａ）〜（ｃ）に示すように、前記ハウジング３１の前記係合用ハウジング３２に対向する後端からは、光コネクタアダプタ４０に挿入されて係脱自在に係合される弾性変形自在のラッチ３３が、該ハウジング３１の前記光コネクタアダプタ４０に対する挿入方向前方に向けて突出されている。ハウジング３１とラッチ３３は、例えば、プラスチック等の合成樹脂によって一体成形することが、成形に掛かる手間を軽減する上で好ましい。
【００１２】
図４（ａ）〜（ｃ）に示すように、係合用ハウジング３２はスリーブ状に形成され、その内部には、雄形光コネクタプラグ２０側の光コネクタフェルール１１に対して突き合わせ接続される光コネクタフェルルール１１を収納保持している。また、係合用ハウジング３２の光コネクタアダプタ４０に対する挿入方向先端からは、弾性爪からなる１対の係合部３７が光コネクタアダプタ４０に対する挿入方向前方へ向けて突設されている。この係合部３７は、係合用ハウジング３２のハウジング３１に対するスライド移動によって、雌形光コネクタプラグ３０の光コネクタアダプタ４０に対する挿入方向前方へ向けて引き出し可能になっている（図２（ｄ）中仮想線３７は引き出した状態）。
【００１３】
また、図２（ｂ）等に示すように、弾性爪である前記係合部３７は、ハウジング３１のハウジング先端部３１ａに形成されたスリット３１ｃに挿入されている。また、係合部３７の係合用ハウジング３２からの突出方向に垂直な両側部から突出された受圧片３７ｃは、このスリット３１ｃの一部を拡張した形状の凹所３１ｄ内に収納されている。
前記ハウジング先端部３１ａにて、前記受圧片３７ｃよりも前記雌形光コネクタプラグ３０の前記光コネクタアダプタ４０に対する挿入方向前側（図２（ａ）〜（ｃ）中右側）に設けられた係合解除片３１ｂは、係合用ハウジング３２に対する該係合用ハウジング３２後端（図２（ａ）〜（ｃ）中左側）へのハウジング３１の相対的なスライド移動によって前記係合部３７に当接することで該係合部３７を押圧して外側に弾性変形させるものである。図９（ａ）、（ｂ）に示す状態にて、ハウジング先端部３１ａが係合用ハウジング３２後端へ移動されると、前記係合解除片３１ｂが雌形光コネクタプラグ３０の前記光コネクタアダプタ４０に対する挿入方向前側（図９（ａ）、（ｂ）中右側）から前記受圧片３７ｃに当接して押圧し、この受圧片３７ｃをハウジング先端部３１ａの外側へ押し出すようにして変形させる。具体的には、係合解除片３１ｂは、受圧片３７ｃに形成された傾斜面３７ｄと平行な傾斜面３１ｅを備えており、係合解除片３１ｂによる係合部３７（受圧片３７ｃ）の押圧変形は、両傾斜面３７ｄ、３１ｅの当接、スライドによって係合解除片３１ｂからの押圧力を該係合解除片３１ｂの移動方向に垂直の方向への係合部３７（弾性爪）の変位力に変換することで実現される。
【００１４】
雌形光コネクタプラグ３０先端に保持される前記光コネクタフェルール１１としては各種構成が採用可能であるが、ここでは、雄形光コネクタプラグ２０側の光コネクタフェルール１１と同じＭＴ形光コネクタを採用している。この光コネクタフェルール１１は、スリーブ状のハウジング３１の中心軸線方向（図２（ａ）、（ｄ）中左右）に移動自在に収納されるとともに、ハウジング３１に内蔵のスプリング３５によって接続方向前方へ付勢されている。ハウジング先端部３１ａに設けられたストッパ部３６は、光コネクタフェルール１１の接合端面１１ａに対向する後端部に突設された鍔部１１ｂが当接されることで、光コネクタフェルール１１がハウジング３１から抜け出ることを防止する。
【００１５】
図５（ａ）〜（ｃ）に示すように、光コネクタアダプタ４０は、雄形光コネクタプラグ２０が挿入される雄形プラグ収納部４１と、この雄形プラグ収納部４１と対向する反対側に設けられて前記雌形光コネクタプラグ３０が挿入される雌形プラグ収納部４２とを備えている。両プラグ収納部４１、４２はそれぞれスリーブ状であり、スリーブ状の光コネクタアダプタ４０内部で連通されている。図５（ｂ）に示すように、雄形プラグ収納部４１は、雄形光コネクタプラグ２０が挿入される断面長方形状のプラグ収納穴４１ａを備えているが、図５（ａ）に示すように、雌形プラグ収納部４２は、雌形光コネクタプラグ３０の係合用ハウジング３２先端のハウジング先端部３１ａの対向する両側から張り出すようにして形成された一対の係合部３７（弾性爪）が挿入される係合部挿入溝４２ｂが対向する両側に形成された形状のプラグ挿入穴４２ａを備えている。
【００１６】
図５（ａ）、（ｃ）および図６に示すように、この光コネクタ１０では、光コネクタアダプタ４０の雄形プラグ収納部４１に挿入された雄形光コネクタプラグ２０先端の光コネクタフェルール１１と、雌形プラグ収納部４２に挿入された雌形光コネクタプラグ３０先端の光コネクタフェルール１１とが、スリーブ状の光コネクタアダプタ４０の中心軸線方向中央部の接続領域４３にて突き合わせ接続されることで、これら各光コネクタフェルール１１によってコネクタ接続可能に成端された光ファイバ１３、１４同士が光接続されるようになっている。
【００１７】
雄形光コネクタプラグ２０は、ラッチ２３をもプラグ収納穴４１ａ内に収納するようにして雄形プラグ収納部４１に押し込み挿入し、前記ラッチ２３のハウジング２１からの突出方向先端に設けられた係合爪２６を、前記雄形プラグ収納部４１の側壁部に開口されたラッチ係合穴４１ｂに係脱可能に係合することで、雄形プラグ収納部４１内に安定に収納される。一方、雌形光コネクタプラグ３０は、やはり、ラッチ３３を含めてプラグ収納穴４２ａ内に収納するようにして雌形プラグ収納部４２に押し込み挿入し、前記ラッチ３３のハウジング３１からの突出方向先端に設けられた係合爪３８を、前記雌形プラグ収納部４２の側壁部に開口されたラッチ係合穴４２ｃに係脱可能に係合することで、雌形プラグ収納部４２内に安定に収納される。これら光コネクタプラグ２０、３０のプラグ収納部４１、４２に対する挿入では、プラグ収納部４１、４２の側壁部内面側を摺動移動するラッチ２３、３３先端の係合爪２６、３８が、前記ラッチ係合穴４１ｂ、４２ｃに入り込む際に生じる係合音や衝撃等を観測することで、ラッチ２３、３３先端の係合爪２６、３８がラッチ係合穴４１ｂ、４２ｃに係合したことを把握することができる。
【００１８】
なお、ラッチ２３、３３先端の係合爪２６、３８がラッチ係合穴４１ｂ、４２ｃに係合すると、ハウジング２１、３１からのラッチ２３、３３の突出先端に形成された離脱用レバー部２７、３９が各プラグ収納部４１、４２の端部４１ｃ、４２ｄ近傍に位置しており、各プラグ収納部４１、４２の端部４１ｃ、４２ｄに突き当たればそれ以上の押し込みが不可能になるから、無理な押し込みによって、光コネクタプラグ２０、３０のハウジング２１、３１やラッチ２３、３３を傷めるといった不都合を生じない。
【００１９】
光コネクタフェルール１１同士は、一方または両方の光コネクタプラグ２０、３０のスプリング２４、３５を圧縮変形させて突き合わせ接続されるが、雌形プラグ収納部４２に挿入された雌形光コネクタプラグ３０先端の係合部３７が、雄形プラグ収納部４１に挿入された雄形光コネクタプラグ２０の挿入先端部２２の対向する両側に形成された係合部２８と係合することで、両光コネクタプラグ２０、３０のハウジング２１、３１間が離間しないように引き止められるため、光コネクタフェルール１１同士の突き合わせ接続状態（接合端面１１ａ同士が突き合わされた状態）が維持されるとともに、圧縮変形されたスプリング２４、３５の付勢力を光コネクタフェルール１１間の突き合わせ力として確実に作用させることができ、光ファイバ１３、１４同士を目的の低接続損失を以って光接続することができる。しかも、互いに係合された係合部２８、３７同士の係合によって連結して接続された光コネクタプラグ２０、３０間は、弾性爪である係合部２８の係合部３７に対する係脱可能な係合によって連結状態が維持され、位置決め精度も確保されるものの、光コネクタアダプタ４０に対する各光コネクタプラグ２０、３０の若干浮動は許容され、これにより、各光コネクタプラグ２０、３０と光コネクタアダプタ４０との間の寸法公差等を吸収することができる。その結果、接続状態の光コネクタフェルール１１間に前記寸法公差に起因する曲げ等の応力が作用することを防止できる等の利点がある。
【００２０】
光コネクタフェルール１１間は、一方の光コネクタフェルール１１から突設したガイドピン１５（図１（ａ）、（ｃ）参照）を他方の光コネクタフェルール１１の接合端面１１ａに開口されたガイドピン穴１１ｃ（図２（ｃ）参照）に挿入嵌合させるピン結合方式により位置決めされるようになっている。図６に示すように、光コネクタアダプタ４０内にて、光コネクタプラグ２０、３０間を次第に接近させると、雌形光コネクタプラグ３０の係合用ハウジング３２先端の対向する両側から突設された一対の係合部３７先端の傾斜面である当接面３７ａに、雄形光コネクタプラグ２０先端の一対の係合部２８が当接されて、係合部２８がそれぞれ当接面３７ａに誘導されるようにして係合用ハウジング３２内に挿入されて行く。雌形光コネクタプラグ３０側の一対の係合部３７間に雄形光コネクタプラグ２０側の係合部３７が位置決めされると、両光コネクタプラグ２０、３０の光コネクタフェルール１１間が位置決めされ、両光コネクタプラグ２０、３０のさらなる接近により、一方の光コネクタフェルール１１のガイドピン１５が他方の光コネクタフェルール１１のガイドピン穴１１ｃに挿入嵌合される。さらに、このとき、前記係合部３７の弾性により、一方の光コネクタフェルール１１のガイドピン穴１１ｃに対して他方の光コネクタフェルール１１のガイドピン１５の位置が適宜調整されて、両者の位置が一致したところでガイドピン１５がガイドピン穴１１ｃに誘い込まれるようにして挿入されるので、これにより、ガイドピン１５をガイドピン穴１１ｃに確実かつ円滑に挿入することができる。
一対の係合部３７間に入り込んだ各係合部２８が、係合部３７の係合用ハウジング３２からの突出方向先端に形成された係合端部３７ｂに係合すると、両光コネクタフェルール１１の押圧用のスプリング２４、３５の付勢力が光コネクタフェルール１１間の突き合わせ力として有効に作用する。
なお、図６等では、雄形光コネクタプラグ２０側の光コネクタフェルール１１にガイドピン１５およびピンクランプ１６を設けた構成を例示したが、これに代えて、雌形光コネクタプラグ３０側の光コネクタフェルール１１にガイドピン１５およびピンクランプ１６を設けることも可能である。
【００２１】
（雄形光コネクタプラグの引き抜き）
雌形光コネクタプラグ３０に対して雄形光コネクタプラグ２０の接続を解除して光コネクタアダプタ４０から引き抜くには、まず、雄形光コネクタプラグ２０の離脱用レバー部２７を押圧操作して、ラッチ２３とハウジング２１との間の隙間２０ａを利用して、ラッチ２３をその先端がハウジング２１に近付けるようにして弾性変形させることで、雄形プラグ収納部４１のラッチ係合穴４１ｂから離脱して雄形プラグ収納部４１の側壁部との係合を解除し、次いで、雄形光コネクタプラグ２０を引き抜き方向、つまり、図７中右側へ移動する。
【００２２】
雄形光コネクタプラグ２０の光コネクタアダプタ４０からの引き抜きを開始すると、係合部２８、３７同士が係合したまま、雌形光コネクタプラグ３０から係合用ハウジング３２がスライド移動によって雄形光コネクタプラグ２０と一緒に移動し、雌形光コネクタプラグ３０のハウジング先端部３１ａから係合部３７が引き出される。そして、図７に示すように、係合用ハウジング３２側の両係合部３７が、光コネクタアダプタ４０の接続領域４３に設けられた突起状の一対の係合解除部４４のテーパ状の当接面４４ａにそれぞれ乗り上げ、雄形光コネクタプラグ２０の引き抜き方向へのさらなる移動で、両係合解除部４４の当接面４４ａのテーパ形状によって両係合部３７間が拡張されるようにして変形されることで、各係合部３７が雄形光コネクタプラグ２０側の係合部２８から離脱され（係合位置からの離間）、係合が解除される。これにより、雄形光コネクタプラグ２０は、引き抜き方向への移動の継続によって光コネクタアダプタ４０から引き抜かれる。
なお、このとき、雌形光コネクタプラグ３０の係合部３７がハウジング先端部３１ａから引き出されるに伴い、ハウジング先端部３１ａの係合解除片３１ｂに当接して該係合解除片３１ｂに乗り上げるようにして変形されることも（図９（ｂ）参照）、雄形光コネクタプラグ２０側の係合部２８に対する係合部３７の係合解除に寄与する。
【００２３】
光コネクタアダプタ４０から雄形光コネクタプラグ２０を引き抜いた後、光コネクタアダプタ４０に残った雌形光コネクタプラグ３０は、離脱用レバー部３９の押圧操作によりラッチ３３と雌形プラグ収納部４２の側壁部との間の係合を解除し、次いで、雌形プラグ収納部４２側から引っ張ることで光コネクタアダプタ４０から簡単に引き抜くことができる。ラッチ３３と雌形プラグ収納部４２の側壁部との間の係合解除は、離脱用レバー部３９の押圧操作により、ハウジング３１とラッチ３３との間の隙間３０ａを利用してハウジング３１に近付けるようにしてラッチ３３を弾性変形させることで、ラッチ３３先端を雌形プラグ収納部４２のラッチ係合穴４２ｃから離脱させれば良い。
【００２４】
（雌形光コネクタプラグの引き抜き）
光コネクタアダプタ４０内にて雄形光コネクタプラグ２０と係合状態になっている雌形光コネクタプラグ３０を光コネクタアダプタ４０から引き抜くには、まず、離脱用レバー部３９を押圧操作して、ラッチ３３と雌形プラグ収納部４２の側壁部との間の係合を解除し、次いで、雌形プラグ収納部４２側から引っ張ることで光コネクタアダプタ４０から簡単に引き抜くことができる。ラッチ３３と雌形プラグ収納部４２の側壁部との間の係合解除は、離脱用レバー部３９の押圧操作により、ハウジング３１とラッチ３３との間の隙間３０ａを利用してハウジング３１に近付けるようにしてラッチ３３を弾性変形させることで、ラッチ３３先端を雌形プラグ収納部４２のラッチ係合穴４２ｃから離脱させれば良い。
【００２５】
この雌形光コネクタプラグ３０の光コネクタアダプタ４０からの引き抜きは、ハウジング３１の光コネクタアダプタ４０から突出されている部分、つまり、離脱用レバー部３９を操作するべく該離脱用レバー部３９近傍のハウジング３１を握って離脱用レバー部３９を操作してラッチ３３と雌形プラグ収納部４２の側壁部との間の係合を解除し、そのまま引き抜き操作する。ここで、雌形光コネクタプラグ３０では、まず、係合部２８、３７同士の係合によって雄形光コネクタプラグ２０に対して引き留められている係合用ハウジング３２に対してハウジング３１が引き抜き方向へスライド移動を開始し、係合用ハウジング３２は、係合部２８、３７同士の係合が解除されるまで移動しない。図９（ｂ）に示すように、ハウジング３１の移動に伴い、ハウジング先端部３１ａの係合解除片３１ｂが、前記雌形光コネクタプラグ３０の前記光コネクタアダプタ４０に対する挿入方向前側から前記係合部３７に当接し、該係合部３７をハウジング先端部３１ａから外側へ弾性変形させると（係合位置からの離間）、係合部２８、３７間の係合が解除される。係合部２８、３７同士の係合解除後は、図示しない係合部によって、係合用ハウジング３２がハウジング３１に係合することで、係合用ハウジング３２がハウジング３１に引っ張られるようにして、両ハウジング３１、３２が光コネクタアダプタ４０から引き抜かれる。
光コネクタアダプタ４０からの雌形光コネクタプラグ３０の引き抜き後、ハウジング３１に対して係合用ハウジング３２を押し込めば、係合部３７が元の状態（ハウジング先端部３１ａのスリット３１ｃに収納された状態）に戻り、再度、雄形光コネクタプラグ２０との接続に使用できる。
また、光コネクタアダプタ４０からの雌形光コネクタプラグ３０の引き抜き後、雄形光コネクタプラグ２０は、光コネクタアダプタ４０に対するラッチ２３の係合を解除することだけで、光コネクタアダプタ４０から簡単に引き抜くことができる。
【００２６】
この光コネクタ１０によれば、両光コネクタプラグ２０、３０先端の弾性変形可能な係合部２８、３７同士の係合により、光コネクタアダプタ４０内での光コネクタプラグ２０、３０の若干の浮動を許容しつつ、各光コネクタプラグ２０、３０先端間の位置決め状態と連結状態とを維持でき、各光コネクタプラグ２０、３０の浮動の影響を受けること無く、光コネクタフェルール１１間の接続状態を確保できるから、光コネクタアダプタ４０内に内部ハウジング等の位置決め用の部品を設ける必要が無く、内部ハウジングを有する光コネクタアダプタに比べて、光コネクタアダプタ４０を構成する部品点数を非常に少なくすることができる。しかも、内部ハウジング等を目的の浮動範囲で浮動可能に収納するための構成が不要になることから光コネクタアダプタ４０は構成が単純となって容易に形成できるようになり、製造能率や組み立て能率の向上、低コスト化が可能である。これにより、光コネクタ１０全体の製造能率や組み立て能率の向上、低コスト化も容易に実現できる。
【００２７】
なお、本発明は前記実施の形態に限定されず、各種変更が可能であることは言うまでもない。
例えば、本発明が適用される雄形光コネクタプラグ、雌形光コネクタプラグ、光コネクタアダプタの具体的形状等は適宜変更可能である。前記実施の形態では、いわゆるＲＪ形光コネクタに類する形状の雄形、雌形光コネクタプラグを例示したが、これに限定されず、例えば、ラッチを有していないもの、具体的にはＭＰＯ形光コネクタ、ＭＵ形光コネクタ等にも適用可能であることは言うまでも無い。
前記実施の形態では、雌形光コネクタプラグ側の係合部として、ハウジングに対してスライド移動自在の係合用ハウジングから突設された弾性爪を例示したが、本発明はこれに限定されず、例えば、ハウジングのハウジング先端部自体をガイド部としてスライド移動自在に設けられた弾性爪を係合部とした構成も採用可能である。この場合は、ハウジング先端部に係合部である弾性爪のガイド機構（但し、引き出しによる抜け落ちを防止できるもの）を設ける必要が生じる反面、係合用ハウジングが不要になり、雌形光コネクタプラグの小型化等を実現できるといった利点がある。
【００２８】
【発明の効果】
以上説明したように、本発明の光コネクタによれば、雄形光コネクタプラグの挿入先端部と、雌形光コネクタプラグのハウジング先端部のそれぞれに設けられた係合部同士を係脱可能に係合して、両光コネクタプラグ同士を連結状態にすることで、各光コネクタプラグ先端の光コネクタフェルール間が位置決めされるため、光コネクタアダプタには、別途、位置決め用の内部ハウジング等の位置決め用の機構を設ける必要が無くなり、部品点数の減少、構造の単純化により、低コスト化を実現できるといった優れた効果を奏する。
【００２９】
また、本発明によれば、前記雌形光コネクタプラグの前記光コネクタアダプタに対する挿入方向先端から引き出された弾性爪である係合部が、前記光コネクタアダプタに設けられた係合解除部に当接することで弾性変形されて、雄形光コネクタプラグ側の係合部との係合位置から離間されるようになっているから、光コネクタアダプタから雄形光コネクタプラグを引き出して、雌雄両光コネクタプラグの係合部を係合状態のまま移動し、雌形光コネクタプラグ側の係合部に係合解除部を当接させて弾性変形させることで、係合部同士の係合を簡単に解除でき、単純な作業により、雄形光コネクタプラグを光コネクタアダプタから引き抜くことができるといった優れた効果を奏する。
【００３０】
また、本発明によれば、前記雌形光コネクタプラグの前記光コネクタアダプタに対する挿入方向先端から引き出し可能な係合部が、該雌形光コネクタプラグのハウジング先端のハウジング先端部に設けられた係合解除片に当接することで弾性変形されて、雄形光コネクタプラグ側の係合部との係合位置から離間されるようになっているから、まず、光コネクタアダプタから雌形光コネクタプラグのハウジングを引き出し操作することで、雄形光コネクタプラグ側の係合部と係合されている係合部に対してハウジングをスライド移動させ、ハウジング先端のハウジング先端部の係合解除片によって、雌形光コネクタプラグ側の係合部を弾性変形させることで、係合部同士の係合を簡単に解除でき、単純な作業により、雄形光コネクタプラグを光コネクタアダプタから引き抜くことができるといった優れた効果を奏する。
【図面の簡単な説明】
【図１】  本発明の１実施の形態の光コネクタの雄形光コネクタプラグを示す図であって、（ａ）は正面図、（ｂ）は接続方向先端側から見た側面図、（ｃ）は断面図である。
【図２】  本発明の１実施の形態の光コネクタの雌形光コネクタプラグを示す図であって。（ａ）は正面図、（ｂ）は平面図、（ｃ）は接続方向先端側から見た側面図、（ｄ）は断面図である。
【図３】  図２の雌形光コネクタプラグを構成するハウジングを示す図であって、（ａ）は平面図、（ｂ）は正面図、（ｃ）は正断面図である。
【図４】  図２の雌形光コネクタプラグを構成する係合用ハウジングを示す図であって、（ａ）は平面図、（ｂ）は正面図、（ｃ）は正断面図である。
【図５】  本発明の１実施の形態の光コネクタの光コネクタアダプタを示す図であって、（ａ）は斜視図、（ｂ）は雄形光コネクタプラグが挿入される雄形プラグ収納部側から見た斜視図、（ｃ）は断面図である。
【図６】  本発明の１実施の形態の光コネクタを示す図であって、雄形光コネクタプラグと雌形光コネクタプラグとを光コネクタアダプタに挿入して接続した状態を示す断面図である。
【図７】  図６の光コネクタの雄形光コネクタプラグを光コネクタアダプタから引き抜く工程を示す図であって、雌形光コネクタプラグ側の係合部が光コネクタアダプタの係合解除部に当接されて雄形光コネクタプラグとの係合が解除された状態を示す断面図である。
【図８】  図６の光コネクタの雌形光コネクタプラグを光コネクタアダプタから引き抜く工程を示す図であって、雌形光コネクタプラグ側の一対の係合部が雌形光コネクタプラグのハウジングの係合解除片によって押圧変形されて雄形光コネクタプラグとの係合が解除された状態を示す断面図である。
【図９】  図２の雌形光コネクタプラグにおける係合用ハウジングの係合部とハウジングの係合解除片との関係を示す断面図であって、（ａ）は係合解除片による係合爪の変形前、（ｂ）は係合解除片による係合爪の押圧変形時を示す。
【図１０】  従来例の光コネクタを示す断面図である。
【符号の説明】
１０…光コネクタ、１１…光コネクタフェルール、２０…光コネクタプラグ、２２…挿入先端部、２８…係合部（弾性爪）、３０…雌形光コネクタプラグ、３１…ハウジング、３１ａ…ハウジング先端部、３１ｂ…係合解除片、３７…係合部（弾性爪）、４０…光コネクタアダプタ、４４…係合解除部。
【図１】
0003723029.tif 000002
【図２】
0003723029.tif 000003
【図３】
0003723029.tif 000004
【図４】
0003723029.tif 000005
【図５】
0003723029.tif 000006
【図６】
0003723029.tif 000007
【図７】
0003723029.tif 000008
【図８】
0003723029.tif 000009
【図９】
0003723029.tif 000010
【図１０】
0003723029.tif 000011